(57)【特許請求の範囲】
【請求項１】
プリフォームを射出成形する射出成形部と、前記プリフォームを射出コア型から取り出す取出し部とを有するプリフォーム成形ステーションと、
前記プリフォームを保持する搬送部材を循環搬送して前記プリフォームを延伸ブロー成形するブロー成形ステーションと、
前記取出し部で取り出されたプリフォームを前記ブロー成形ステーションの搬送部材に移送する移送ステーションからなる射出延伸ブロー成形装置であって、
前記移送ステーションは、前記射出コア型から離型されたプリフォームを正立状態で受け取る受取機構と、
前記プリフォームを反転して倒立状態で前記搬送部材に渡す反転機構と、
前記受取機構と前記反転機構の間にあって、前記受取機構から前記反転機構へ前記プリフォームを受け渡すための転送機構とを有し、
前記転送機構は、前記プリフォームを保持する複数の転送保持部材と、
前記転送保持部材を固定する循環転送手段と、を有し、この循環転送手段によって、前記受取機構より前記プリフォームを受取る位置から、前記反転機構に前記プリフォームを渡す位置まで循環移動することを特徴とする射出延伸ブロー成形装置。
【請求項２】
請求項１において、
前記転送機構は、前記射出成形部で少なくとも同時に射出成形される前記プリフォームの数と同じ数のプリフォームを保持する転送保持部材を有していることを特徴とする射出延伸ブロー成形装置。
【請求項３】
請求項１において、
前記循環転送手段は、縦方向に循環することを特徴とする射出延伸ブロー成形装置。
【請求項４】
請求項１において、
前記循環転送手段は、水平方向に循環することを特徴とする射出延伸ブロー成形装置。
【請求項５】
請求項１〜４のいずれかにおいて、
前記転送保持部材は、前記プリフォームの底部と胴部の一部を受け入れ保持する凹部を有することを特徴とする射出延伸ブロー成形装置。
【請求項６】
請求項１〜４のいずれかにおいて、
前記転送保持部材は、弾性部材により閉方向に付勢された２つの開閉部材間でプリフォームのネック部下位置を保持可能にされることを特徴とする射出延伸ブロー成形装置。
【請求項７】
請求項１において、
前記取出部は、前記プリフォームの外形とほぼ同じ内形を有し、かつ、冷却水を循環させる水路を有する冷却ポットと、
前記冷却ポットを、射出型締時における取出部のプリフォーム高さ位置と、射出型から取り出し後のプリフォーム移送時の退避位置との間で昇降させるための昇降手段とを備えることを特徴とする射出延伸ブロー成形装置。
【請求項８】
射出成形ステーションで射出成形されたプリフォームを、ブロー成形ステーションで循環搬送される搬送部材により保持して延伸ブロー成形することで容器を成形する射出延伸ブロー成形方法において、
前記プリフォームを正立状態で射出成形する工程と、
射出成形された前記プリフォームを射出コア型から取出す工程と、
取出されたれた前記プリフォームを受取機構により正立状態で受取る工程と、
受取った前記プリフォームを転送機構により正立状態で保持して転送する工程と、
転送された正立状態の前記プリフォームを反転機構により反転して前記ブロー成形ステーションの循環搬送される前記搬送部材に倒立状態で渡す工程と、
前記搬送部材に保持されたプリフォームを延伸ブロー成形する工程と、
を含み、
前記転送機構は、前記プリフォームを保持する複数の転送保持部材と、
前記転送保持部材を固定する循環転送手段と、を有し、
前記転送する工程は、前記転送保持部材によって前記プリフォームを保持して、前記受取機構より前記プリフォームを受取る位置から、前記反転機構に前記プリフォームを渡す位置まで循環移動することを特徴とする射出延伸ブロー成形方法。
【請求項９】
請求項８において、
前記プリフォームを転送する工程は、同時射出成形個数のプリフォームを保持して反転させる位置まで転送することを特徴とする射出延伸ブロー成形方法。
【請求項１０】
請求項８において、
射出成形した前記プリフォームを取出し位置まで搬送する工程と、
前記取出し位置で前記プリフォームを前記射出コア型から取出す前に、前記プリフォームを外側から冷却する工程とを有することを特徴とする射出延伸ブロー成形方法。
【請求項１１】
プリフォームを射出成形する射出成形部と、前記プリフォームを射出コア型から取り出す取出し部と、を有するプリフォーム成形ステーションと、
前記プリフォームを保持する搬送部材を循環搬送して前記プリフォームを延伸ブロー成形するブロー成形ステーションと、
前記取出し部で取り出されたプリフォームを前記ブロー成形ステーションの搬送部材に移送する移送ステーションからなる射出延伸ブロー成形装置であって、
前記移送ステーションは、プリフォームを放冷するための転送機構を有し、
前記転送機構は、前記射出成形部で少なくとも同時に射出成形される前記プリフォームの数と同じ数のプリフォームを保持する転送保持部材と、前記転送保持部材を固定する循環転送手段を有し、
前記循環転送手段は、縦方向に循環することを特徴とする射出延伸ブロー成形装置。
【請求項１２】
プリフォームを射出成形する射出成形部と、前記プリフォームを射出コア型から取り出す取出し部と、を有するプリフォーム成形ステーションと、
前記プリフォームを保持する搬送部材を循環搬送して前記プリフォームを延伸ブロー成形するブロー成形ステーションと、
前記取出し部で取り出されたプリフォームを前記ブロー成形ステーションの搬送部材に移送する移送ステーションからなる射出延伸ブロー成形装置であって、
前記移送ステーションは、プリフォームを放冷するための転送機構を有し、
前記転送機構は、前記射出成形部で少なくとも同時に射出成形される前記プリフォームの数と同じ数のプリフォームを保持する転送保持部材と、前記転送保持部材を固定する循環転送手段を有し、
前記循環転送手段は、水平方向に循環することを特徴とする射出延伸ブロー成形装置。
【発明の詳細な説明】
【０００１】
【発明の属する技術分野】
本発明は、射出延伸ブロー成形装置及び成形方法に関し、特に、プリフォーム成形ステーションからブロー成形ステーションへとプリフォームを受け渡す移送ステーションを備えた射出延伸ブロー成形装置及び成形方法に関する。
【０００２】
【背景技術及び発明が解決しようとする課題】
射出延伸ブロー成形装置及び方法として、本願出願人が先に提案した特開平８−１３２５１７号公報に記載の発明がある。
【０００３】
この発明は、プリフォームを射出成形するプリフォーム成形ステーションと、射出成形されたプリフォームを延伸ブロー成形するブロー成形ステーションと、プリフォーム成形ステーションからブロー成形ステーションへとプリフォームを移送する移送ステーションとを有している。
【０００４】
プリフォーム成形ステーションでは、複数個のプリフォームを同時に射出成形し、射出コア型によりプリフォームを冷却し、取り出し可能な温度までプリフォームが冷却された後、取出部でプリフォームを射出コア型から取り出すようにしている。
【０００５】
移送ステーションでは、同時に射出成形された複数個のプリフォームを１回もしくは複数回に分けてブロー成形ステーションに受渡すようにしている。具体的には、取出部から同時成形個数のプリフォームを受取る受取機構と、この受取機構で受取ったプリフォームを１回もしくは複数回に分けて正立状態から倒立状態に反転してブロー成形ステーションに受渡す反転機構とを有する。
【０００６】
ブロー成形ステーションでは、移送ステーションから受け取ったプリフォームを循環搬送される搬送部材により搬送し加熱部、待機部を経て同時プリフォーム成形個数より少ない数ごとにブロー成形部に搬入させてブロー成形するようにしている。
【０００７】
このシステムによって、十分な冷却時間を確保しながら射出成形サイクルタイムを短縮してプリフォームを成形し、しかもブローキャビティ型の稼動率を高めることができるようにしたものである。
【０００８】
本発明は、この射出延伸ブロー成形装置及び方法をさらに発展させたものである。
【０００９】
本発明の目的は、プリフォームが射出コア型から取り出されてからブロー成形ステーションへ渡されるまでの時間をさらに多く取れるようにして、射出成形時の温度分布によるブロー成形時の影響をさらに減少させることにある。
【００１０】
本発明の他の目的は、特に厚肉のプリフォームをさらに効率よく冷却することにある。
【００１１】
【課題を解決するための手段】
前記目的を達成するため、請求項１の発明は、プリフォームを射出成形する射出成形部と、前記プリフォームを射出コア型から取り出す取出し部とを有するプリフォーム成形ステーションと、
前記プリフォームを保持する搬送部材を循環搬送して前記プリフォームを延伸ブロー成形するブロー成形ステーションと、
前記取出し部で取り出されたプリフォームを前記ブロー成形ステーションの搬送部材に移送する移送ステーションからなる射出延伸ブロー成形装置であって、
前記移送ステーションは、前記射出コア型から離型されたプリフォームを正立状態で受け取る受取機構と、
前記プリフォームを反転して倒立状態で前記搬送部材に渡す反転機構と、
前記受取機構と前記反転機構の間にあって、前記受取機構から前記反転機構へ前記プリフォームを受け渡すための転送機構とを有し、
前記転送機構は、前記プリフォームを保持する複数の転送保持部材と、
前記転送保持部材を固定する循環転送手段と、を有し、この循環転送手段によって、前記受取機構より前記プリフォームを受取る位置から、前記反転機構に前記プリフォームを渡す位置まで循環移動することを特徴としている。
【００１２】
本発明によれば、移送ステーションの受取機構と反転機構との間に転送機構を設けることで、プリフォームが射出コア型から取り出されてからブロー成形ステーションへ渡されるまでの時間を多く取ることができ、これによって、特にプリフォームの厚肉のものの内外壁の温度差の緩和及び緩やかな放冷時間を取ることができ、射出成形時の温度分布によるブロー成形時の影響を減少させることができる。また、本発明によれば、保持部材を転送機構によって循環移動させることにより、さほどスペースを要することなくプリフォームを転送することができ、省スペース化を達成することができる。また、転送機構が循環移動することで、駆動機構も簡単である。
【００１３】
請求項２の発明は、請求項１において、
前記転送機構は、前記射出成形部で少なくとも同時に射出成形される前記プリフォームの数と同じ数のプリフォームを保持する転送保持部材を有していることを特徴としている。
【００１４】
本発明によれば、転送保持部材によって、少なくとも一サイクル分のプリフォームを保持できるため、一回の動作で受取機構から転送機構にプリフォームを移すことができ、転送機構にプリフォームを移した後はすぐに受取機構が次のプリフォームを受け取ることができ、受取機構が十分な時間の余裕を持つことができ、その結果、取出部での自由度が増加し、射出コア型によって十分な内外壁の温度差の緩和時間を確保することができる。
【００１７】
請求項３の発明は、請求項１において、
前記循環転送手段は、縦方向に循環することを特徴としている。
【００１８】
本発明によれば、循環転送手段を縦方向に回転させることにより、循環転送手段の間のスペースを最小限に抑えることができ、より省スペース化を達成することができる。
【００１９】
請求項４の発明は、請求項１において、
前記循環転送手段は、水平方向に循環することを特徴としている。
【００２０】
本発明によれば、省スペース化を達成できる上に、よりたくさんのプリフォームを保持することができるため、放冷時間を多く確保することができる。
【００２１】
請求項５の発明は、請求項１〜４のいずれかにおいて、
前記転送保持部材は、前記プリフォームの底部と胴部の一部を受け入れ保持する凹部を有することを特徴ととしている。
【００２２】
本発明によれば、プリフォームの形状に左右されることなくプリフォームを確実に保持することができる。特に、プリフォームのネック部下のフランジ部よりも胴部が太い場合でも確実に保持することができる。
【００２３】
請求項６の発明は、請求項１〜４のいずれかにおいて、
前記転送保持部材は、弾性部材により閉方向に付勢された２つの開閉部材間でプリフォームのネック部下位置を保持可能にされることを特徴としている。
【００２４】
本発明によれば、プリフォームを水平移動させるだけで開閉部材にプリフォームを保持させ、あるいはプリフォームを取出すことができ、プリフォームの保持、取出し動作を簡略化させることができる。
【００２５】
請求項７の発明は、請求項１において、
前記取出部は、前記プリフォームの外形とほぼ同じ内形を有し、かつ、冷却水を循環させる水路を有する冷却ポットと、
前記冷却ポットを、射出型締時における取出部のプリフォーム高さ位置と、プリフォーム移送時の退避位置との間で昇降させるための昇降手段とを備えることを特徴としている。
【００２６】
本発明によれば、取出部で冷却ポットによりプリフォームを外側から冷却することができ、特に、厚肉のプリフォームを更に効率よく冷却することが可能となる。
【００２７】
請求項８の発明は、射出成形ステーションで射出成形されたプリフォームを、ブロー成形ステーションで循環搬送される搬送部材により保持して延伸ブロー成形することで容器を成形する射出延伸ブロー成形方法において、
前記プリフォームを正立状態で射出成形する工程と、
射出成形された前記プリフォームを射出コア型から取出す工程と、
取出されたれた前記プリフォームを受取機構により正立状態で受取る工程と、
受取った前記プリフォームを転送機構により正立状態で保持して転送する工程と、
転送された正立状態の前記プリフォームを反転機構により反転して前記ブロー成形ステーションの循環搬送される前記搬送部材に倒立状態で渡す工程と、
前記搬送部材に保持されたプリフォームを延伸ブロー成形する工程と、
を含み、
前記転送機構は、前記プリフォームを保持する複数の転送保持部材と、
前記転送保持部材を固定する循環転送手段と、を有し、
前記転送する工程は、前記転送保持部材によって前記プリフォームを保持して、前記受取機構より前記プリフォームを受取る位置から、前記反転機構に前記プリフォームを渡す位置まで循環移動することを特徴としている。
【００２８】
本発明によれば、プリフォームを射出コア型から取り出して、ブロー成形ステーションの搬送部材に渡すまでの間に、プリフォームを受け取る工程と、プリフォームを転送する工程と、プリフォームを反転して渡す工程とを有するため、プリフォームが射出コア型から取り出されてからブロー成形ステーションへ渡されるまでの時間を多く取ることができ、これによって、特に厚肉のプリフォームの内外壁の温度差の緩和及び緩やかな放冷時間を確保することができ、射出成形時の温度分布によるブロー成形時の影響を減少させることができる。また、本発明によれば、保持部材を転送機構によって循環移動させることにより、さほどスペースを要することなくプリフォームを転送することができ、省スペース化を達成することができる。また、転送機構が循環移動することで、駆動機構も簡単である。
【００２９】
請求項９の発明は、請求項８において、
前記プリフォームを転送する工程は、同時射出成形個数のプリフォームを保持して反転させる位置まで転送することを特徴としている。
【００３０】
本発明によれば、一サイクル分のプリフォームを保持して、１回の動作で、プリフォームを受け取る工程から転送する工程へと移行することができ、その後すぐに、取り出されたプリフォームを受け取ることが可能となり、プリフォームを受け取る工程に時間的余裕が生じ、プリフォーム成形ステーションの取り出し位置で十分に射出コア型によってプリフォームを冷却することができる。
【００３３】
請求項１０の発明は、請求項８において、
射出成形した前記プリフォームを取出し位置まで搬送する工程と、
前記取出し位置で前記プリフォームを前記射出コア型から取出す前に、前記プリフォームを外側から冷却する工程とを有することを特徴としている。
【００３４】
本発明によれば、取り出し位置でプリフォームを射出コア型から取り出す前にプリフォームを外側から冷却することで、特に厚肉のプリフォームをさらに効率よく冷却することできる。請求項１１の発明は、プリフォームを射出成形する射出成形部と、前記プリフォームを射出コア型から取り出す取出し部と、を有するプリフォーム成形ステーションと、前記プリフォームを保持する搬送部材を循環搬送して前記プリフォームを延伸ブロー成形するブロー成形ステーションと、前記取出し部で取り出されたプリフォームを前記ブロー成形ステーションの搬送部材に移送する移送ステーションからなる射出延伸ブロー成形装置であって、前記移送ステーションは、プリフォームを放冷するための転送機構を有し、前記転送機構は、前記射出成形部で少なくとも同時に射出成形される前記プリフォームの数と同じ数のプリフォームを保持する転送保持部材と、前記転送保持部材を固定する循環転送手段を有し、前記循環転送手段は、縦方向に循環することを特徴としている。請求項１２の発明は、プリフォームを射出成形する射出成形部と、前記プリフォームを射出コア型から取り出す取出し部と、を有するプリフォーム成形ステーションと、前記プリフォームを保持する搬送部材を循環搬送して前記プリフォームを延伸ブロー成形するブロー成形ステーションと、前記取出し部で取り出されたプリフォームを前記ブロー成形ステーションの搬送部材に移送する移送ステーションからなる射出延伸ブロー成形装置であって、前記移送ステーションは、プリフォームを放冷するための転送機構を有し、前記転送機構は、前記射出成形部で少なくとも同時に射出成形される前記プリフォームの数と同じ数のプリフォームを保持する転送保持部材と、前記転送保持部材を固定する循環転送手段を有し、前記循環転送手段は、水平方向に循環することを特徴としている。
【００３５】
【発明の実施の形態】
以下、本発明の好適な実施の形態について、図面を参照して詳細に説明する。
【００３６】
図１〜図７は、本発明の一実施の形態にかかる射出延伸ブロー成形装置を示す図である。
【００３７】
図１は、射出延伸ブロー成形装置の平面図である。
【００３８】
この射出延伸ブロー成形装置は、機台１０上に、大別して、プリフォーム成形ステーション１２と、ブロー成形ステーション１４と、プリフォーム成形ステーション１２とブロー成形ステーション１４との間に位置する移送ステーション１６とが設けられている。
【００３９】
プリフォーム成形ステーション１２は、回転角で１８０°離れた２箇所にそれぞれ射出コア型（図示せず）を有し、回転搬送路に沿って射出コア型を間欠的に循環搬送する回転盤１８を有する。そして、射出コア型の各停止位置にはそれぞれ、射出装置２０と対向する位置に射出成形部２２が設けられ、この射出成形部２２と対向して取出部２４が設けられている。
【００４０】
射出成形部２２は、射出コア型に対して相対的に型締め駆動させる射出キャビティ型２６を有し、例えば４個のプリフォーム２８（図２〜図７参照）を同時に射出成形する。
【００４１】
射出成形部２２は、例えば図２に示すように、把手２９を一体に有するプリフォーム２８が射出成形されるようになっている。
【００４２】
一方、取出部２４では、射出コア型をプリフォーム２８に対して相対的に離型駆動して、射出コア型よりプリフォーム２８を取り出し可能である。
【００４３】
なお、本実施例では、プリフォーム２８のネック部をネックキャビティ型（図示せず）により成形しており、プリフォーム２８は、このネックキャビティ型及び射出コア型により保持されて回転盤１８により取出部２４に搬送させる。
【００４４】
そして、取出部２４では、射出コア型からの部分的な離型後に、ネックキャビティ型からプリフォーム２８を離型させることで、プリフォーム２８が取り出されるようになっている。
【００４５】
ブロー成形ステーション１４は、４つのスプロケット３０と、これらに掛け渡された搬送用チェーン３２及びこのスプロケットを駆動させる図示しない装置、たとえば１つのスプロケットを回転させる電動モータや、油圧シリンダに取り付けられたラックとスプロケットに取り付けられたピニオン等によって構成される循環搬送用の搬送手段３４を有する。
【００４６】
この搬送チェーンには、等間隔距離を隔てて複数、例えば、１２個の搬送部材３６が固定され、各搬送部材３６にプリフォーム２８または容器３８が支持されるようになっている。この搬送部材３６の循環搬送経路には、移送ステーション１６からプリフォーム２８を受け取る受取部４０と、受取部４０で受け取ったプリフォーム２８をブロー成形適温以上に加熱する加熱部４２と、加熱部４２で加熱したプリフォーム２８を延伸ブロー成形して容器３８を得るブロー成形部４４と、ブロー成形部４４でブロー成形した容器３８を装置外部に取り出す容器取出部４６とが設けられている。
【００４７】
加熱部４２には、加熱装置４３が配置され、加熱装置４３は例えば搬送路に沿って延びる赤外線ヒータを複数本プリフォームの高さ方向に並べて配置され、この加熱装置４３を通過する際、搬送部材３６に設けられたスプロケットが自転用チェーンと噛合してプリフォームを自転させながら周方向が均等に加熱されるようになっている。
【００４８】
ブロー成形部４４は、ブロー型締機構４５によりプリフォーム２８に対して型締めされるブローキャビティ型４８を有し、例えば１個のプリフォーム２８をブロー成形するようにしている。
【００４９】
容器取出部４６は、取出装置４７により、容器３８を反転させ、正立状態で取出すようになっている。
【００５０】
なお、加熱部４２とブロー成形部４４との間には、加熱部４２で加熱されたプリフォーム２８を一時待機させる待機部４９が設けられている。
【００５１】
移送ステーション１６は、プリフォーム成形ステーション１２の取出部２４より取り出されたプリフォーム２８を、ブロー成形ステーション１４の受取部４０に受け渡すものである。
【００５２】
プリフォーム成形ステーション１２の取出部２４では、射出成形部２２での同時成形個数のプリフォーム２８が取り出されるが、移送ステーション１６では、取出部２４にて例えば４個同時に取り出されたプリフォーム２８を、一つずつ受取部４０に受け渡している。
【００５３】
また、プリフォーム成形ステーション１２では、プリフォーム２８が正立状態にて射出成形されるのに対し、移送ステーション１６では、プリフォーム２８の上下を反転し、ブロー成形ステーション１４にプリフォーム２８を倒立状態にて受け渡している。
【００５４】
次に、プリフォーム成形ステーション１２の取出部２４の一部と、移送ステーション１６について、図２〜図７を参照して説明する。
【００５５】
図２において、プリフォーム成形ステーション１２の射出成形部２２で射出成形された把手２９付きのプリフォーム２８が図示せぬ回転板の回転中心軸５０を中心に取出部２４へと回転搬送されるようになっている。
【００５６】
取出部２４では、プリフォーム２８を射出コア型から取り出す前に、プリフォーム２８を冷却ポット８４で冷却するようになっている。
【００５７】
冷却ポット８４により冷却された後、プリフォーム２８は移送ステーション１６で、ブロー成形ステーション１４の搬送用チェーン３２に取り付けられた搬送部材３６に受け渡されるようになっており、この移送ステーション１６は、受取機構５４と、転送機構５６と、反転機構５８とから構成され、冷却ポット８４は受取機構５４に組み込まれている。
【００５８】
受取機構５４は、図３に示すように、機台１０上に支柱６２を介し固定枠６４を支持させると共に、支柱６２に下部可動枠６６及び上部可動枠６８を上下方向でスライド可能に取り付けている。
【００５９】
上部可動枠６８は、固定枠６４に取り付けた付勢部材６０にて上方に付勢されると共に、下部可動枠６６に取り付けた押し下げロッド７０を貫通させ、押し下げロッド７０の先端と距離Ｃを隔てて係合し得るようになっている。
【００６０】
下部可動枠６６の下部には、連結ロッド６５（図５参照）を介して第１昇降シリンダ固定板７２が固定され、この第１昇降シリンダ固定板７２に２本の第１昇降シリンダ７４が取り付けられ、これら各第１昇降シリンダ７４の昇降ロッド７６の先端に支持板７８を介してプリフォーム２８の底部を保持する２本の底部保持部材８０が下部可動枠６６を貫通して昇降し得るようになっている。この底部保持部材８０は、第１昇降シリンダ７４によって距離Ｄだけ昇降し得るようになっている。
【００６１】
また、下部可動枠６６は、その両端に配置された第２昇降シリンダ８１によって距離Ｂだけ昇降し得るようになっている。
【００６２】
さらに、支柱６２には、冷却ポット台８２が昇降可能に支持され、この冷却ポット台８２上に冷却ポット８４が固定されている。
【００６３】
冷却ポット８４は、プリフォーム２８の外形とほぼ同じ内形を有する複数、例えば４つの冷却凹部８６を有し、かつ、その凹部の回りに射出金型と同じ１０から２０℃の冷却水を循環させる水路（図示せず）を有している。
【００６４】
また、冷却ポット８４の各冷却凹部８６の底部及び対応位置の冷却ポット台８２には、底部保持部材８０を貫通させる貫通孔が形成された状態となっている。さらに、冷却ポット８４は、射出型締め時における取出部２４のプリフォーム２８の冷却位置Ｈ１と、プリフォーム移送時の退避位置Ｈ２との間で昇降手段としての冷却ポット昇降シリンダ８８により距離Ａだけ昇降可能にされている。
【００６５】
冷却ポット昇降シリンダ８８は、下部可動枠６６に固定され、その昇降ロッド９０が冷却ポット台８２に固定され、上昇位置で冷却ポット８４が取出部２４でプリフォーム２８のネックを保持しているネックキャビティ型１２２と接触して、プリフォーム２８を外側から冷却するようになっている。
【００６６】
なお、このネックキャビティ型１２２によりプリフォーム２８が支持された状態で、プリフォーム２８内には、図示せぬ射出コア型が挿入された状態となっている。
【００６７】
さらに、上部可動枠６８の下面には、一対のガイドレール９２を介して取出部２４側から転送機構５６側へと移動可能にプリフォーム２８の個数に対応した個数の第１保持部材９４が設けられている。
【００６８】
この第１保持部材９４は、図５に示すように、保持部材退避シリンダ９６により水平状態の保持位置と破線で示す垂直状態の退避位置との間で回動可能にされている。
【００６９】
また、第１保持部材９４は、保持部材開閉機構９８によって開閉可能にされ、保持位置でプリフォーム２８のネック部の下部を保持し得るようになっている。
【００７０】
なお、保持部材開閉機構９８には、ラック＆ピニオンによる公知の開閉手段を用いることができる。
【００７１】
さらに、第１保持部材９４は、図５に示すように、上部可動枠６８の下面に取り付けられた水平駆動シリンダ１００によって取出部２４から転送機構５６上方位置までプリフォーム２８を水平移動させるようになっている。
【００７２】
なお、第１保持部材９４によって転送機構５６の上方に移動させられたプリフォーム２８の上には、固定枠６４に取り付けられた押え板１０２が設けられている。
【００７３】
転送機構５６は、縦形に配した転送用スプロケット１０４に掛け渡された転送チェーン１０６を回転アクチュエータ１０８により縦方向に間欠回転し得るようにされており、この転送チェーン１０６に複数例えば１０個の転送保持部材１１０が取り付けられ、受取機構５４からプリフォーム２８を受取位置に４個、反転機構５８に受け渡す位置に１個の転送保持部材１１０が位置するように転送保持部材１１０が１個ずつ間欠的に循環されるようになっている。
【００７４】
各転送保持部材１１０は、プリフォーム２８の底部と胴部の一部を受け入れる凹部１１１を有し、プリフォーム２８の底部を保持した状態で１個ずつ反転機構５８への受渡位置に転送されるようになっている。
【００７５】
また、この転送機構５６は、第３昇降シリンダ１１２によって昇降可能にされ、第１保持部材９４によって転送保持部材１１０の上方位置に移動されたプリフォームに対し上昇してプリフォーム２８を受け取るようになっており、この時、押え板１０２がプリフォーム２８の上端を位置決めすることとなる。
【００７６】
反転機構５８は、転送機構５６の反転受渡位置と対向して配置された例えば１組の第２保持部材１１４を有している。
【００７７】
この第２保持部材１１４は、図示せぬ保持部材開閉機構によって開閉可能にされ、転送保持部材１１０が第３昇降シリンダ１１２によって上昇した状態で、プリフォーム２８のネック部を保持し得るようにされている。この保持部材開閉機構としては、ラック＆ピニオンによる公知の開閉手段を用いることができる。
【００７８】
また、この第２保持部材１１４は、反転駆動装置１１６によって転送機構５６側からブロー成形ステーション１４の受取部４０側へ１８０°回転してプリフォーム２８を正立状態から倒立状態へと反転し得るようになっている。
【００７９】
そして、この反転位置がブロー成形ステーション１４の受取部４０位置における搬送部材３６に対しプリフォーム２８を受け渡す待機位置となっている。
【００８０】
また、第２保持部材１１４は、進退駆動装置１１８によって転送機構５６側からブロー成形ステーション１４の受取部４０側へ水平移動可能とされ、搬送部材３６の上方位置まで移動し得るようになっている。
【００８１】
また、反転機構５８には、搬送部材３６の位置決め手段１１９が設けられ、進退駆動装置１１８によって受取部４０側に移動した際に、搬送部材３６と係合して位置決めするようになっている。
【００８２】
さらに、第２保持部材１１４は、第４昇降シリンダ１２０によって昇降可能とされ、ブロー成形ステーション１４の搬送部材３６上方に位置するプリフォーム２８を第２保持部材１１４を下降させることでプリフォームネック部を搬送部材３６の図示せぬ突出した支持部に差し込み、第２保持部材１１４を開くことでプリフォーム２８のネック部を解放して受け渡しが完了することとなる。
【００８３】
そして、これらの動作と逆の動作を行うことにより、転送機構５６から次のプリフォーム２８を受け取る状態となる。
【００８４】
次に、前述の射出延伸ブロー成形装置を用いた射出延伸ブロー成形方法について説明する。
【００８５】
この射出延伸ブロー成形方法では、図１０に概略的に示すように、プリフォーム成形ステーション１２において、まず、射出成形部２２でプリフォームを正立状態で射出成形し、このプリフォームを回転中心軸５０を中心に１８０度回転させて取出部２４に搬送する。
【００８６】
取出部２４で取出されたプリフォームは、移送ステーション１６の受取機構５４によって正立状態のまま受取られ、転送機構５６によって反転機構５８へと転送される。
【００８７】
反転機構５８では、正立状態のプリフォームを１８０度回転させて倒立状態に反転し、ブロー成形ステーションに倒立状態で受渡す。
【００８８】
そして、倒立状態のプリフォームをブロー成形ステーション１４でブロー成形するものである。
【００８９】
以下、その詳細を説明する。
【００９０】
まず、プリフォーム成形ステーション１２では、射出成形部２２において複数個、例えば４個の把手２９付きのプリフォーム２８を射出成形し、このプリフォーム２８をネックキャビティ型１２２（図３及び図７参照）及び射出コア型１２４（図７参照）により保持して回転盤１８により取出部２４に搬送する。
【００９１】
取出部２４では、冷却ポット８４によってプリフォーム２８を外側から冷却した後、移送ステーション１６で受け取った、例えば４個のプリフォーム２８を転送機構５６に受け渡す。
【００９２】
この状態を、図７を参照して説明すると、まず、ネックキャビティ型１２２及び射出コア型１２４によりプリフォーム２８が保持された状態で、回転盤の回転中心軸５０を回転中心にして取出部２４に搬送され、射出成形時の型締め位置Ｈ１まで下降する。そして、冷却ポット昇降シリンダ８８により冷却ポット８４が上昇して射出成形時におけるネックキャビティ型１２２の型締め位置Ｈ１まで上昇してネックキャビティ型１２２と接触し、プリフォーム２８を外側から冷却する。
【００９３】
この場合、下部可動枠６８は第２昇降シリンダ８１により図３の距離Ｂだけ上昇した状態で、底部保持部材８０は、第１昇降シリンダ７４により距離Ｂだけ上昇した状態となっており、さらに、第１保持部材９４は、保持部材退避シリンダ９６により退避位置に位置している（図７（１）参照）。
【００９４】
次に、冷却ポット８４により一定時間プリフォーム２８を外側から冷却した後、冷却ポット８４をネックキャビティ型１２２の型締め高さ位置Ｈ１から退避位置Ｈ２まで図３の距離Ａだけ下降させて退避させる。
【００９５】
この冷却ポットによる冷却時間は、射出成形時つまり型締状態にある時間内であって、プリフォームの移送に支障のない時間の範囲で、製品に対応したここの成形条件によって、任意に変更可能である。
【００９６】
この状態で、ネックキャビティ型１２２を若干下降させ、プリフォーム２８内に射出コア型１２４を若干残した状態で、射出コア型１２４からプリフォーム２８を離型させる。この時、プリフォーム２８の下端が底部保持部材８０の上端に接触して底部保持部材８０に支持される状態となる（図７（２）参照）。
【００９７】
次いで、図７（２）の状態からネックキャビティ型１２２を開き、底部保持部材８０を第１昇降シリンダ７４によって図３の距離Ｄだけプリフォーム２８と共に下降させる。
【００９８】
この下降した状態で、射出コア型がプリフォーム２８内に若干残っている状態となっており、プリフォーム２８は上部で射出コア型１２４により支持され、下部で底部保持部材８０によって支持された状態となり、転倒が防止されている。そして、この状態から保持部材退避シリンダ９６により第１保持部材９４を退避位置から保持位置へと９０°回転させて第１保持部材９４を閉じ、プリフォーム２８のネック部及びもしくはその下部を保持させる（図７（３）参照）。
【００９９】
次に、第２昇降シリンダ６１により下部可動枠６６を図３の距離Ｂだけ下降させる。すると、下部可動枠６６に取り付けられている底部保持部材８０は、図３の距離Ｂだけ下降し、上部可動枠６８は押し下げロッド７０と係合するまでの図３の距離Ｃだけ遅れて下降するため、上部可動枠６８に取り付けられている第１保持部材９４は、距離（Ｂ−Ｃ）だけ下降することとなり、プリフォーム２８底部と底部保持部材８０の先端とは、図３の距離Ｃ分だけ離間することとなって、プリフォーム２８が水平移動可能な状態となる（図７（４）参照）。
【０１００】
そして、この状態から水平駆動シリンダ１００により第１保持部材９４を転送機構５６の転送保持部材１１４上方まで水平移動させ、転送機構５６を第３昇降シリンダ１１２により上昇させて転送保持部材１１０によりプリフォーム２８の底部を保持した状態で、第１保持部材９４を開けばプリフォーム２８の転送機構５６への受け渡しが完了する（図７（５）参照）。
【０１０１】
ここまでは、同時に射出成形された複数、例えば４個のプリフォーム２８を取出部２４で同時に取り出し、移送ステーション１６の受取機構５４で同時に受け取り、転送機構５６に同時に受け渡している。
【０１０２】
転送機構５６では、同時に受け取った例えば４個のプリフォーム２８を保持する転送保持部材１１０を、回転アクチュエータ１０８の駆動により転送チェーン１０６を間欠駆動させて、１個ずつ反転機構５８への受渡位置に転送する。
【０１０３】
反転機構５８は、第３昇降シリンダ１１２により上昇された受取位置にあるプリフォーム２８のネック部を、第２保持部材１１４を閉じて保持し、第３昇降シリンダ１１２によって転送保持部材１１０が下降した状態で、反転駆動装置１１６により第２保持部材１１４を１８０°回転させ、プリフォーム２８を正立状態から倒立状態へと反転させて、ブロー成形ステーション１４の搬送部材３６が受取部４０に搬送停止されるまで待機する。
【０１０４】
搬送部材３６が搬送停止された時点で、進退駆動装置１１８により第２保持部材１１４を搬送部材３６側へ水平移動させ、プリフォーム２８を搬送部材３６の上方に位置させた状態で、第４昇降シリンダ１２０により下降させてプリフォーム２８を搬送部材に挿入した後、第２保持部材１１４を開いてプリフォーム２８を解放し、第２保持部材１１４を待機位置まで移動させれば搬送部材３６の搬送が可能な状態となる。
【０１０５】
ブロー成形ステーション１４では、搬送部材３６に倒立状態で支持されたプリフォーム２８が搬送手段３４によって間欠搬送され、加熱部４２に設けた加熱装置４３内を通過してプリフォームをブロー成形適温以上に加熱した後、ブロー成形部４４に搬送される前に、待機部４９で待機され加熱部４２による加熱時の温度緩和を行った後、ブロー成形部４４で容器形状にブロー成形する。
【０１０６】
そして、ブロー成形部４４でブロー成形された把手２９付きの容器３８を取出部２４まで搬送し、容器取出部４６で取出装置４７により倒立状態から正立状態に反転して容器３８を取り出すこととなる。
【０１０７】
図８及び図９は、移送ステーションの他の実施の形態を示す図である。
【０１０８】
この移送ステーション１６は、受取機構１３０が保持部材開閉機構１３２により４組の第１保持部材１３４を開閉可能にしており、この保持部材開閉機構１３２及び第１保持部材１３４を一対の第１昇降シリンダ１３６によって昇降可能にし、この第１昇降シリンダ１３６によって第１保持部材１３４を射出型締め時における取出部２４のプリフォーム２８のネック部下まで上昇させてネック部下を保持し、ネックキャビティ型開後、下降させるようにしている。
【０１０９】
また、第１保持部材１３４、保持部材開閉機構１３２及び第１昇降シリンダ１３６は、ガイドレール１３８上で転送機構１４２側へスライド可能にされたガイド部材１４０上に取り付けられ、このガイド部材１４０を水平駆動シリンダ１４１により駆動することで、第１保持部材１３４を転送機構１４２側に移動させて保持部材開閉機構１３２により第１保持部材１３４を開くことで転送機構１４２にプリフォーム２８を受け渡すようにしている。
【０１１０】
転送機構１４２は、水平状態に配置した転送用スプロケット１４４に掛け渡された転送チェーン１４６に複数、例えば１４個の転送保持部材１４８を取り付け、この転送保持部材１４８を水平方向で循環搬送するようにしている。各転送保持部材１４８は、弾性部材により閉方向に付勢されたプリフォーム２８のネック部下位置を保持する２枚の開閉板１５０で構成され、第１保持部材１３４がプリフォーム２８を保持した状態でプリフォーム２８を２枚の開閉板１５０間に挿入し、付勢部材の付勢力に抗して開閉板１５０を開き開閉板１５０間にプリフォーム２８を配置させる。この時点で、既に開閉板１５０は閉じており、第１保持部材１３４を開くと、プリフォームが落下して転送保持部材１４８上に保持されることで受け渡しが行われる。
【０１１１】
また、この転送保持部材１４８は、転送チェーン１４６によって反転機構１５２への受渡位置に１個ずつ間欠搬送されるようになっている。
【０１１２】
反転機構１５２は、転送機構１４２の反転受渡位置で転送保持部材１４８に保持されたプリフォーム２８のネック部を開閉機構１５４により開閉可能にされた第２保持部材１５６によりつかむ。次いでこの第２保持部材１５６を進退駆動装置１６０によりブロー成形ステーション１４の受取部４０側に水平移動させることで、転送保持部材１４８の開閉板１５０を開いて取り出す。次に、図示せぬ昇降機構により第２保持部材を上昇させ、反転駆動装置１５５により第２保持部材１５６を１８０°回転させてプリフォーム２８を正立状態から倒立状態に反転し、昇降機構により下降させることで受取部４０位置の搬送部材３６にプリフォームを差し込み第２保持部材１５６を開いてプリフォーム２８を解放し、進退駆動装置１６０により第２保持部材１５６を退避させるようにしてる。
【０１１３】
また、この反転機構１５２には、搬送部材３６を位置決めするための位置決め手段１５８が設けられており、この位置決め手段１５８が、進退駆動装置１６０によって第２保持部材１５６が受取部４０側に移動させられた際に、搬送部材３６と係合して位置決めを行うようになっている。
【０１１４】
本発明は、前記実施の形態に限定されるものではなく、本発明の要旨の範囲内において種々の実施の形態に変更することが可能である。
【０１１５】
例えば、プリフォーム成形ステーションで４個のプリフォームを射出成形し、ブロー成形ステーションで１個ずつブロー成形する例を示したが、この例に限らず、同時射出成形個数と、同時ブロー成形個数とは、任意に変更することができる。
【０１１６】
また、前記実施の形態では、ブロー成形部で１個ずつブロー成形しているため、反転機構で反転させる際に１個ずつ受け渡しているが、複数個同時にブロー成形する場合などには複数個受け渡してプリフォーム間のピッチをブロー成形時のピッチに変換する必要がある。この変換手段としては、前記特開平８−１３２５１７号公報に記載の手段を採用することができる。
【０１１７】
また、最初の実施例で示した冷却ポットは、冷却水を用いたが、各ポットごとに違う温度で温調してもよいし、成形条件によって加熱された流体を用いてもいよい。
【０１１８】
【図面の簡単な説明】
【図１】本発明の一実施の形態にかかる射出延伸ブロー成形装置を示す平面図である。
【図２】図１の移送ステーションの拡大平面図である。
【図３】図２の受取機構の正面図である。
【図４】図２の転送機構の背面図である。
【図５】受取機構及び転送機構の側面図である。
【図６】転送機構及び反転機構の側面図である。
【図７】冷却ポットによるプリフォームの冷却からプリフォームを受け取って転送機構に受け渡す受取機構の動作説明図である。
【図８】移送ステーションの他の実施の形態を示す平面図である。
【図９】図８の移送ステーションの側面図である。
【図１０】本発明の工程を示す概念図である。
【符号の説明】
２８  プリフォーム
１２  プリフォーム成形ステーション
１４  ブロー成形ステーション
１６  移送ステーション
２２  射出成形部
２４  取出部
２８  プリフォーム
３４  搬送手段
３６  搬送部材
３８  容器
４０  受取部
４２  加熱部
４４  ブロー成形部
５４、１３０  受取機構
５６、１４２  転送機構
５８、１５２  反転機構
６６  下部可動枠
６８  上部可動枠
８４  冷却ポット
９４、１３４  第１保持部材
１０６  転送チェーン
１１０、１４８  転送保持部材
【図１】
0003824360.tif 000002
【図２】
0003824360.tif 000003
【図３】
0003824360.tif 000004
【図４】
0003824360.tif 000005
【図５】
0003824360.tif 000006
【図６】
0003824360.tif 000007
【図７】
0003824360.tif 000008
【図８】
0003824360.tif 000009
【図９】
0003824360.tif 000010
【図１０】
0003824360.tif 000011